(57)【特許請求の範囲】
【請求項１】
容器の口部に取り外し可能にねじ付けられる装着筒と、該装着筒によって前記容器に装着されるポンプ機構とを備える容器用吐出器であって、
前記装着筒の下端部を、工具を嵌める外観形状を有する嵌め合い部に構成するとともに、
前記ポンプ機構の上端部材に、前記嵌め合い部を残して前記装着筒を取り囲むとともに前記上端部材をも取り囲むカバーを、相対回転自在に取り付けたことを特徴とする容器用吐出器。
【請求項２】
請求項１記載の容器用吐出器において、前記カバーの上端縁に切欠きが設けられることを特徴とする容器用吐出器。
【請求項３】
請求項１または２記載の容器用吐出器において、前記カバーが、前記ポンプ機構の上端部材をも取り囲むことを特徴とする容器用吐出器。
【請求項４】
請求項１〜３のいずれか１項に記載の容器用吐出器の工具であって、該工具は、前記嵌め合い部に嵌合するプレート部に、前記カバーを取り囲むように延在するとともに末端に前記カバーを通す開放部が形成された帯状をなすバンド部が基部を介して一体に設けられたものであることを特徴とする容器用吐出器の工具。
【請求項５】
請求項４記載の容器用吐出器の工具において、前記バンド部の内周面に、周方向に間隔を置いて複数の縦リブを設けたことを特徴とする容器用吐出器の工具。
【請求項６】
請求項４または５記載の容器用吐出器の工具において、前記工具に、把持部を設けたことを特徴とする容器用吐出器の工具。
【発明の詳細な説明】
【技術分野】
【０００１】
本発明は、シャンプーやリンス、整髪料等の内容物を収容する容器の口部に取り外し可能に取り付けられて、該内容物を吐出する容器用吐出器およびこれに用いる工具に関する。
【背景技術】
【０００２】
本出願人は、従来の容器用吐出器として、店頭での陳列やホテル等の施設に据え置かれるときに、内容物が入れ替えられたり、抜き取られたりする等の悪戯を想定し、こうした不正使用を防止する対策として、容器に対するねじ付け部分にラチェット機構を設けたものを提案済みである（例えば、特許文献１参照）。
【先行技術文献】
【特許文献】
【０００３】
【特許文献１】特開２００４−３４４８２２号公報
【発明の概要】
【発明が解決しようとする課題】
【０００４】
しかしながら、様々なニーズに応じて、新たな容器用吐出器を提案していくことが重要であることも事実である。
【０００５】
本発明の目的とするところは、不正使用による着脱が困難な安全性の高い新規な容器用吐出器を提供することにある。
【課題を解決するための手段】
【０００６】
本発明は、容器の口部に取り外し可能にねじ付けられる装着筒と、該装着筒によって前記容器に装着されるポンプ機構とを備える容器用吐出器であって、前記装着筒の下端部を、工具を嵌める外観形状を有する嵌め合い部に構成するとともに、前記ポンプ機構の上端部材に、前記嵌め合い部を残して前記装着筒を取り囲むとともに前記上端部材をも取り囲むカバーを、相対回転自在に取り付けたことを特徴とする。
【０００７】
上記構成においては、前記カバーの上端縁に切欠きを設けるのが好ましい。
【０００８】
上記構成においては、前記カバーが、前記ポンプ機構の上端部材をも取り囲むのが好ましい。
【０００９】
本発明は、上記構成の容器用吐出器の工具であって、該工具は、前記嵌め合い部に嵌合するプレート部に、前記カバーを取り囲むように延在するとともに末端に前記カバーを通す開放部が形成された帯状をなすバンド部が基部を介して一体に設けられたものであることを特徴とする。
【００１０】
上記構成においては、前記バンド部の内周面に、周方向に間隔を置いて複数の縦リブを設けるのが好ましい。
【００１１】
上記構成においては、前記工具に、把持部を設けるのが好ましい。
【発明の効果】
【００１２】
本発明では、装着筒の下端部を、工具を嵌める外観形状を有する嵌め合い部に構成するとともに、ポンプ機構の上端部材に、嵌め合い部を残して装着筒を取り囲むカバーを、相対回転自在に取り付けるようにしたので、嵌め合い部に適合する工具を持たない第三者は、装着筒を直接回転させることができない。これに対し、工具を所持する管理者は、カバーの下側から工具を差し入れて、当該工具を嵌め合い部に嵌合させることで、装着筒を容器に対して回転させることができる。
【００１３】
したがって、本発明によれば、不正使用による着脱が困難な安全性の高い新規な容器用吐出器を提供することができる。
【図面の簡単な説明】
【００１４】
【図１】本発明の容器用吐出器の一実施の形態であって、容器に取り付けた状態を一部断面で示す側面図である。
【図２】図１の要部拡大図である。
【図３】（ａ）は、同形態に係る、装着キャップの平面図であり、（ｂ）は、同形態である容器用吐出器を容器に取り付け又は取り外す際に用いられる本発明の工具の一例を示す平面図である。
【図４】（ａ）は、図３（ｂ）のＡ−Ａ線に沿う断面図であり、（ｂ）は、その斜視図である。
【図５】（ａ）は、同形態の容器用吐出器の容器への取り付け又は取り外しを、例示の工具を用いて行うときの操作方法であって、工具を嵌合させる前の状態を示す平面図であり、（ｂ）は、工具を嵌合させた後の状態を示す平面図である。
【図６】同形態において、例示の工具を嵌合させた状態を示す要部側面図である。
【図７】本発明の容器用吐出器を、他の形状の容器に取り付けた状態を示す要部拡大図である。
【発明を実施するための形態】
【００１５】
以下、図面を参照して、本発明の一実施の形態を詳細に説明する。
【００１６】
図１に示す本発明の一実施の形態である容器用吐出器（以下、吐出器とする）１０は、装着キャップ（装着筒）１１と、これに保持されるポンプ機構Ｐとがユニット化された構成となっている。吐出器１０は、容器５０に取り付けられ、容器５０とともにポンプ容器６０を構成する。
【００１７】
装着キャップ１１は、容器５０の口部５１を周方向に取り囲む周壁１１ａを有する。周壁１１ａの内側には、ねじ部１１ｓが形成されている。これにより、装着キャップ１１は、口部５１に形成したねじ部５０ｓに対して取り外し可能にねじ付けられる。装着キャップ１１の周壁１１ａの外表面には、そのねじ付け作業を容易にするために、ローレット等の凹凸が形成される。なお、装着キャップ１１の周壁１１ａの外表面は、当該ローレット等の凹凸が設けられない、滑らかな表面とすることもできる。
【００１８】
この吐出器１０が取り付けられる容器５０は据え置き型となっており、装着キャップ１１よりも大径の有底筒状の容器本体５０ａを備えている。容器本体５０ａには、例えば、シャンプーやリンス、整髪料等の内容物が収容される。また、容器５０の上端部分は肩部５０ｂとなっており、この肩部５０ｂの中心（軸心）に口部５１が設けられている。肩部５０ｂは、装着キャップ１１の径方向に対して僅かに傾斜する円錐面に構成され、その口部５１に近接する部分は、装着キャップ１１の下端に僅かな隙間を空けて対向している。
【００１９】
容器本体５０ａは、断面円形形状に限らず、断面矩形や多角形状など、様々な形状に形成することができる。また、例えば、容器本体５０ａが断面矩形や多角形状に形成された場合には、肩部５０ｂは、装着キャップ１１の径方向に対して僅かに傾斜するとともに、断面の各辺に対応する複数の平面で構成することができる。
【００２０】
ポンプ機構Ｐはシリンダ１２を有し、シリンダ１２には容器５０の底まで延びる吸入パイプ１３が固定されている。シリンダ１２の内側には、ポペット１４が配置されている。ポペット１４の内側には、吸入パイプ１３を通して容器５０から吸入された内容液を導入する吸入弁１４ａが設けられている。本実施の形態では、吸入弁１４ａは、３つの連結片を介して弾性保持された弾性弁で構成されている。また、ポペット１４には、吸入弁１４ａから導入された内容液をシリンダ１２内に導入する開口通路ｒ１が形成されている。開口通路ｒ１は、装着キャップ１１や口部５１の軸心を通る軸線Ｏ周りに周方向に間隔を置いて複数の箇所に形成されている。シリンダ１２内には、スプリング等の弾性部材１５が、その軸方向に沿って配置されている。弾性部材１５は、ポペット１４を介してピストン１６を弾支する。ピストン１６は、シリンダ１２の内側に摺動可能に配置されている。ピストン１６には、ステムシャフト１６ａが一体に設けられている。
【００２１】
シリンダ１２の上端開口は、ポンプリング１７によって閉じられている。ポンプリング１７は、ポンプ機構Ｐの上端部材（リング部材）であって、その内側にステムシャフト１６ａを摺動可能に保持している。これにより、ポンプリング１７は、複数のポンプ要素の収納空間を形成する。また、ポンプリング１７を貫通するステムシャフト１６ａの上端には、ノズルヘッド１８が固定されている。ステムシャフト１６ａには、開口通路ｒ１をノズルヘッド１８に通じさせる流路ｒ２が形成されている。更に、ステムシャフト１６ａの内側には、排出弁１９が配置されている。これにより、ポンプ機構Ｐが形成され、ヘッド１８ａの押し下げと復帰を繰り返せば、ノズルヘッド１８に設けられたノズル１８ｂから内容液を吐出させることができる。
【００２２】
ポンプリング１７は、図２に示すように、シリンダ１２の内周面に嵌合する内筒部１７ａを有する。内筒部１７ａは、上述の通り、ステムシャフト１６ａを摺動可能に保持する。また、ポンプリング１７は、内筒部１７ａと同心円状に外筒部１７ｂを有する。内筒部１７ａと外筒部１７ｂとの間には、シリンダ１２の上端部１２ａが配置されている。シリンダ１２の上端部１２ａは、抜け止め部Ｃによってポンプリング１７の外筒部１７ｂに抜け止め保持されている。抜け止め部Ｃとしては、例えば、図示のように、上端部１２ａの外周面に形成された環状の凸（凹）と、外筒部１７ｂの内周面に形成された環状の凹（凸）とを上下方向から嵌合させた凹凸嵌合が挙げられる。また、シリンダ１２の上端部１２ａは、回り止め部Ｓによってポンプリング１７の内筒部１７ａに対して回り止めされている。回り止め部Ｓとしては、例えば、図示のように、上端部１２ａの内周面に沿って周方向に形成した縦リブ（スプライン（溝））と、ポンプリング１７の内筒部１７ａの外周面に沿って周方向に形成した縦リブ（スプライン溝（スプライン））との噛み合いによるスプライン嵌合が挙げられる。これにより、シリンダ１２とポンプリング１７は、互いに軸線Ｏ周りを空転することなく、一体に結合される。また、ポンプリング１７の外周部には、ねじ部１７ｃが一体に形成されている。ねじ部１７ｃは、ノズルヘッド１８のヘッド１８ａの内側に形成されたねじ部１８ｓに取り外し可能にねじ付けることができる。
【００２３】
シリンダ１２には、その外周面から径方向外側に突出するとともに、軸線Ｏ周りを周回する円板状のフランジ１２ｂが一体に形成されている。装着キャップ１１は、このフランジ部１２ｂとポンプリング１７との間に挟み込まれて、ポンプ機構Ｐに保持されている。また、フランジ部１２ｂは、口部５１にねじ付けられた装着キャップ１１の天壁１１ｂと口部５１との間に挟み込まれている。これにより、ポンプ機構Ｐは装着キャップ１１とともに容器５０の口部５１に固定されている。つまり、装着キャップ１１を口部５１にねじ付けることにより、吐出器１０は容器５１の口部５１に取り付けられる。
【００２４】
本実施の形態では、フランジ１２ｂには、パッキン等の環状のシール部材２０が設けられている。シール部材２０は、吐出器１０を容器口部５１に取り付けたとき、吐出器１０と容器口部５１との間を密封する。
【００２５】
装着キャップ１１の下端部には、工具を嵌める外観形状を有する嵌め合い部２１が設けられている。嵌め合い部２１は、径方向に突き出した多数の平面２１ａで構成された外観形状を有する。本実施の形態では、図３（ａ）に示すように、嵌め合い部２１は、正八角形の板状の外観形状、つまり８つの平面２１ａで構成された薄い八角柱状の外観形状を有する。これにより、嵌め合い部２１の外観形状に合った八角スパナ等の工具を嵌め合い部２１に嵌めて軸線Ｏ周りに回すことにより、装着キャップ１１を容器５０の口部５１にねじ付け、又は、緩めることができる。なお、図３（ａ）中、符号「２１ａ」を例示的に五箇所のみ付記している。
【００２６】
加えて、図１、図２に示すように、ポンプリング１７にはカバー２２が取り付けられている。カバー２２は、円筒状のカバー本体２２ａを備え、このカバー本体２２ａの上端には、カバー本体２２ａよりも僅かに小径の上端縁部２２ｂが一体に設けられている。カバー本体２２ａおよび上端縁部２２ｂの内径は、装着キャップ１１の周壁１１ａの外径、ポンプリング１７の外径およびノズルヘッド１８のヘッド１８ａの外径よりも大きくされている。また、上端縁部２２ｂには、カバー本体２２ａの内側に向けて垂下する取付け爪２２ｃが一体に設けられている。取付け爪２２ｃは、カバー本体２２ａの内面との間に間隔を有し、当該間隔を狭める径方向に弾性変形自在である。図示する場合では、取付け爪２２ｃは、カバー本体２２ａの内側に沿って全周に渡って設けられている。なお、取付け爪２２ｃは、全周一体の構成に限らず、切欠きにより、周方向に複数に分割された構成とすることもできる。この場合、それぞれの取付け爪２２ｃは径方向に弾性変形し易くなるので、カバー２２の取り付けが容易になる。
【００２７】
取付け爪２２ｃはポンプリング１７に設けられたフランジ部１７ｄに上方側からアンダーカット係合する。また、カバー本体２２ａの下端は、嵌め合い部２１の上面に摺動自在に当接している。さらに、カバー本体２２ａの下端部分の内周面は、嵌め合い部２１に重ねて一体に設けられた支持円筒部１１ｃの外周面に摺動自在に当接している。これにより、カバー２２は、ポンプリング１７に対して、軸線Ｏを中心として相対回転自在となっている。また、カバー２２は、ポンプリング１７に対して相対回転自在であり、且つ、嵌め合い部２１や支持円筒部１１ｃに対して摺動自在であるので、装着キャップ１１に対しても軸線Ｏを中心として相対回転自在となっている。したがって、カバー２２を回転させても、ポンプ機構Ｐや装着キャップ１１は回転しない。
【００２８】
カバー２２のノズルヘッド１８の側を向く上端縁には、上端縁部２２ｂからカバー本体２２ａにまで達する略半円形状の切欠き２２ｄが設けられている。切欠き２２ｄは、周方向に沿う開口幅がノズルヘッド１８のノズル１８ｂの直径よりも大きく、その軸方向の深さがノズル１８ｂの直径より僅かに小さくなっている。
【００２９】
上述のように、カバー２２は、カバー本体２２ａと上端縁部２２ｂとが、周壁１１ａ、ポンプリング１７およびノズルヘッド１８のヘッド１８ａよりも大径に形成されているので、装着キャップ１１とともにポンプ機構Ｐを容器５０に取り付けた後に、カバー２２をノズルキャップ１８の側から差し込んで、装着キャップ１１やポンプリング１７の外側に取り付けることができる。また、カバー２２には切欠き２２ｄが設けられるので、カバー２２をノズルキャップ１８の側から差し込む際に、切欠き２２ｄにノズルキャップ１８のノズル１８ｂを沿わせて、ノズル１８ｂのカバー２２への干渉を抑制することができる。これにより、カバー２２の取り付け作業が容易になる。カバー２２がポンプリング１７に取り付けられ、取付け爪２２ｃがフランジ部１７ｄにアンダーカット係合すると、カバー２２はポンプリング１７から取り外すことができなくなる。
【００３０】
カバー２２は、嵌め合い部２１を残して、装着キャップ１１を取り囲んでいる。つまり、カバー２２は、装着キャップ１１の嵌め合い部２１以外の部分全体を取り囲んでいる。また、カバー２２は、ポンプリング１７よりも上方つまりノズルヘッド１８側まで延びて、ポンプリング１７をも取り囲んでいる。つまり、嵌め合い部２１を残した装着キャップ１１の全体とポンプリング１７は、その径方向外側がカバー２２により覆われ、外部から隠されている。また、容器５０の肩部５０ｂは、装着キャップ１１やカバー２２の径方向に対して僅かに傾斜する円錐面に構成されているので、カバー２２の下端と肩部５０ｂとの隙間は小さくなっている。そして、嵌め合い部２１は、カバー２２と容器５０の肩部５０ｂとの間において、カバー２２の外周面よりも径方向内側に配置されているので、当該隙間の内部に配置される嵌め合い部２１を、手や指で直接回転操作することはできない。したがって、カバー２２が取り付けられると、装着キャップ１１を直接操作することができない。
【００３１】
上述のように、カバー２２が取り付けられると、装着キャップ１１を直接操作することができなくなる。そのため、本実施の形態では、吐出器１０を容器５０に取り付け、又は取り外す際には、図３（ｂ）及び図４に示す工具３０を用いる。
【００３２】
本発明の一実施の形態である工具３０は、図３（ｂ）に示すように、プレート部３１を有する。プレート部３１は、カバー２２の下端と肩部５０ｂとの間の隙間に差し込むことが可能な厚みを有する。プレート部３１には、切欠き部３０ｃが形成されている。切欠き部３０ｃは、嵌め合い部２１の平面２１ａに対応する５つの平面３１ａで形作られている。従って、プレート部３１を嵌め合い部２１に差し込めば、工具３０は、装着キャップ１１に一体に固定される。これにより、工具３０を軸線Ｏ周りに時計回り又は反時計回りに回転させて、吐出器１０を容器５０に対してねじ付け、あるいは、取り外すことができる。
【００３３】
加えて、本実施の形態では、図４（ａ）に示すように、プレート部３１に基部３２を介してバンド部３３が一体に設けられている。バンド部３３は、図３（ｂ）に示すように、カバー２２を取り囲むように軸線Ｏ周りに延在し、バンド部３３の末端３３ｅは、カバー２２を通す開放部３０Ａを形成する。また、バンド部３３は、基部３２に固定された固定部分３３ａが不動部分となる一方、基部３２から末端３３ｅまでの間の部分が自由端３３ｂとしてなる。自由端３３ｂは、基部３２を基点に変形及び復元することができる。更に、固定部分３３ａには、把持部３４が設けられている。これにより、図５（ａ）に示すように、工具３０を開放部３０Ａから押し込めば、図５（ｂ）に示すように、バンド３３の内側にカバー２２を固定することができ、その後、工具３０を引っ張れば、カバー２２から引き外すことができる。なお、図５において、カバー２２は、二点鎖線で示す。
【００３４】
図６は、容器５０に装着された吐出器１０に工具３０を嵌合させた状態を示す。このように、本実施の形態では、バンド部３３がカバー２２を包み込むように把持するため、工具３０全体を握って、工具３０をカバー２２とともに回転させることができる。つまり、本実施の形態では、カバー２２はポンプリング１７に対して相対回転自在に取り付けられているので、工具３０とともにカバー２２を回転させてもよい。このため、工具３０を、カバー２２の下側から差し込んだのち、カバー２２とともに握って軸線Ｏ周りに回転させれば、容易に装着キャップ１１を回転させることができる。
【００３５】
特に、本実施の形態のように、バンド部３３の両側が自由端３３ｂとして構成されれば、自由端３３ｂが基部３２を基点に内側に変形することにより、カバー２２ごと工具３０を握り易くなる。更に、図４等に示すように、バンド部３３の内周面には、周方向に間隔を置いて複数の縦リブ３５が一体に設けられている。縦リブ３５は、バンド部３３の剛性を高めることでバンド部３３の耐久性を高めている。特に、バンド部３３の剛性が高まることで、バンド部３３を薄肉にすることができる。このように、バンド部３３を薄肉に形成すれば、自由端３３ｂを容易に変形させることができる。加えて、縦リブ３５を設けてバンド部３３を薄肉に形成することにより、このバンド部３３を形成するために必要な樹脂材料を減らして、この工具３０のコストを低減することができる。
【００３６】
また、本実施の形態では、上述の通り、バンド部３３に把持部３４が一体に設けられている。このため、把持部３４を摘んで、工具３０の押し込みと引き外しを行えば、工具３０の着脱操作を容易に行うことができる。
【００３７】
上述の通り、本実施の形態では、装着キャップ１１の下端部を、工具３０を嵌める外観形状を有した嵌め合い部２１に構成するとともに、ポンプ機構Ｐのポンプリング１７に、当該ポンプリング１７とは別体に形成されたカバー２２を相対回転自在に取り付け、このカバー２２により、嵌め合い部２１を残して装着キャップ１１を取り囲むようにしたので、嵌め合い部２１に適合する工具３０を持たない第三者は、装着キャップ１１を直接回転させることができない。つまり、カバー２２を回転させても、ポンプリング１７や装着キャップ１１は回転しないので、吐出器１０を容器５０から取り外すことができない。
【００３８】
これに対し、工具３０を所持する管理者は、図６に示すように、カバー２２の下側から工具３０を差し入れれば、嵌め合い部２１に工具３０を嵌め合わせることで、装着キャップ１１を時計回り又は反時計回りに軸線Ｏ周りに回転させることができる。そして、装着キャップ１１を回転させることにより、吐出器１０を容器５０から取り外すことができる。
【００３９】
このように、本発明によれば、工具３０を持った管理者のみが、容器５０に対する吐出器１０の着脱を行うことができる構成とすることができるので、この吐出器１０を、不正使用による着脱が困難な安全性の高いものとすることができる。
【００４０】
また、本発明では、カバー２２を、装着キャップ１１、ポンプリング１７およびノズルヘッド１８よりも大径に形成するようにしているので、装着キャップ１１を容器５０の口部５１にねじ付けて、ポンプ機構Ｐを容器に取り付けた後に、カバー２２をポンプリング１７に取り付けることができる。したがって、作業者は、カバー２２を取り付ける前に、工具３０を用いることなく、装着キャップ１１を直接手で回転させて、容器５０へ吐出器１０を容易に取り付けることができる。また、カバー２２が取り付けられる前に、容器５０への吐出器１０の取付け作業を行うことができるので、装着キャップ１１を機械で用いて回転させることもできる。したがって、容器５０への吐出器１０の取付け作業を、機械を用いて自動化することも可能となる。また、カバー２２を有していない従来の容器用吐出器の生産ラインを、その工程を変更することなく、本発明の吐出器１０の生産に用いることができる。
【００４１】
さらに、本発明では、カバー２２の上端縁に切欠き２２ｄを設けたので、ポンプ機構Ｐがノズル１８ｂを備えたノズルヘッド１８を有する構成であっても、ポンプ機構Ｐを容器５０に取り付けた後に、カバー２２の取り付け作業を行う際に、ノズル１８ｂのカバー２２への干渉を抑制して、当該取付け作業を容易にすることができる。
【００４２】
さらに、本発明では、カバー２２により、装着キャップ１１だけでなくポンプリング１７をも取り囲むようにしたので、ポンプリング１７を介して装着キャップ１１が回されることを防止することができる。また、ポンプリング１７に設けられたねじ部１７ｃをカバー２２により隠すことができるので、吐出器１０の美観を高めることもできる。
【００４３】
図７に示すように、吐出器１０は、他の形状の容器１０に取り付けることもできる。図７に示す容器１０は、容器本体５０ａの上端側が口部５１に向けて徐々にその径を縮小するように湾曲する半球面状に形成されている。一方、口部５１と容器本体５０ａとの間に設けられる肩部５０ｂは、装着キャップ１１やカバー２２の径方向に対して僅かに傾斜する円錐面に構成されている。肩部５０ｂは、その外径が嵌め合い部２１よりも大径となっており、カバー２２の下端に対向する位置にまで延びている。これにより、図２に示す場合と同様に、カバー２２の下端と肩部５０ｂとの隙間は小さくされ、当該隙間の内部に嵌め合い部２１が配置される。
【００４４】
したがって、容器本体５０ａの上端側を半円形状とした容器５０においても、肩部５０ｂをカバー２２の下端にまで延びて当該下端に僅かな隙間で対向する円錐面で構成することにより、カバー２２の下端と肩部５０ｂとの隙間の内部に配置される嵌め合い部２１を、手や指で直接回転操作させることをできなくして、吐出器１０の不正使用による着脱が困難な安全性の高いものとすることができる。
【００４５】
上述したところは、本発明の様々な実施形態であるが、本発明に従えば、様々な変更が可能となる。
【００４６】
例えば、カバー２２は、装着キャップ１１とポンプリング１７の両方を取り囲むことなく、少なくとも装着キャップ１１を取り囲んでいればよい。
【００４７】
また、カバー２２は、ポンプリング１７に相対回転自在に取り付けられる構成であれば、取付け爪２２ｃをポンプリング１７のフランジ部１７ｄにアンダーカット係合させる構成に限らず、他の構成でポンプリング１７に取り付けられてもよい。
【００４８】
さらに、嵌め合い部材２１は、工具３０を嵌めることができれば、例えば、六角柱形状など、その外観形状には、様々な形状を採用することができる。
【００４９】
さらに、工具３０は、プレート部３１のみで構成することも可能である。この場合、把持部３４を、プレート部３１に一体に設けることができる。
【００５０】
さらに、ポンプ機構Ｐは例示的なものであり、本形態に制限されることなく、様々な機構のものを採用することができる。例えば、容器用吐出器を、泡生成吐出器や噴霧吐出器に構成するポンプ機構Ｐを用いることもできる。
【００５１】
さらに、本発明は、容器の口部に取り外し可能にねじ付けられる装着筒と、装着筒を保持するポンプ機構とを備える容器用吐出器であれば、据え置きタイプの容器に限定されることなく、他の容器にも採用することができる。また、内容物についても、シャンプーやリンス、整髪料に限らず、様々なものを採用することができる。
【符号の説明】
【００５２】
１０  容器用吐出器
１１  装着キャップ（装着筒）
１２  シリンダ
１３  吸入パイプ
１４  ポペット
１５  弾性部材
１６  ピストン
１７  ポンプリング（上端部材）
１８  ノズルヘッド
１９  排出弁
２０  シール部材
２１  嵌め合い部
２１ａ  平面
２２  カバー
２２ｄ  切欠き
３０  工具
３０Ａ  開放部
３１  プレート部
３２  基部
３３  バンド部
３４  把持部
３５  縦リブ
５０  容器
５１  口部
６０  ポンプ容器
Ｐ  ポンプ機構
【図１】
0005959939.tif 000002
【図２】
0005959939.tif 000003
【図３】
0005959939.tif 000004
【図４】
0005959939.tif 000005
【図５】
0005959939.tif 000006
【図６】
0005959939.tif 000007
【図７】
0005959939.tif 000008